(57)【要約】【課題】  例えば暴漢等に不意に襲われた時に身を守るのに役立つ警戒棒を提供する。【解決手段】  太さの異なる複数の金属製筒体からなる伸縮自在なテレスコープ型の警棒本体１０と、複数の筒体の太さが最も細い筒体先端に備わったフラッシュライト２０と、複数の筒体の太さが最も太い筒体に形成された警棒把持部３０と、警棒把持部３０の一部に備わり、フラッシュライト２０で照らされた被写体を撮像する撮像部４０を有したフラッシュ警戒棒であって、警棒本体１０は警棒把持部３０を把持したままでのフラッシュ警戒棒１の一振りにより複数の金属製筒体が伸び出し可能となっているとともに、複数の金属製筒体が伸び出すと同時にフラッシュライトをオン状態とするライトスイッチ２１を備えている。【選択図】  図１
2006153343.tif 000002
【特許請求の範囲】
【請求項１】
太さの異なる複数の金属製筒体からなる伸縮自在なテレスコープ型の警棒本体と、
前記複数の筒体の太さが最も細い筒体先端に備わったフラッシュライトと、
前記複数の筒体の太さが最も太い筒体に形成された警棒把持部と、
前記警棒把持部の一部に備わり、前記フラッシュライトで照らされた被写体を撮像する撮像部を有したフラッシュ警戒棒であって、
前記警棒本体は前記警棒把持部を把持したままでの前記フラッシュ警戒棒の一振りにより前記複数の金属製筒体が伸び出し可能となっているとともに、前記複数の金属製筒体の伸び出しと同時に前記フラッシュライトを照射状態とするライトスイッチを備えたことを特徴とするフラッシュ警戒棒。
【請求項２】
前記フラッシュ警戒棒が前記ライト照射用スイッチとは別に前記撮像部による被写体の撮像を可能とする撮像用スイッチを備えたことを特徴とする、請求項１に記載のフラッシュ警戒棒。
【請求項３】
前記フラッシュライトに発光ダイオードが用いられ、前記撮像部にＣＣＤカメラが用いられていることを特徴とする、請求項１又は請求項２に記載のフラッシュ警戒棒。
【請求項４】
前記複数の筒体の太さが最も細い筒体内に前記フラッシュライト照射用のバッテリーを収容したことを特徴とする、請求項１乃至請求項３の何れかに記載のフラッシュ警戒棒。
【発明の詳細な説明】
【技術分野】
【０００１】
本発明は、例えば暴漢等に不意に襲われた時に我が身を守るのに役立つ警戒棒に関する。
【背景技術】
【０００２】
従来から棒体にライトを備えて停止合図棒や誘導ライトとして使用するものは公知である（例えば、特許文献１参照）。かかるライト付き棒体は、透明なポリカーボネート樹脂で２つの筒体を形成し、この２つの筒体を相互に嵌め合わせて伸縮自在に構成している。そして、透明なポリカーボネート樹脂の筒体の案内棒として使用する先端側内部に発光ダイオード（ＬＥＤ）等で形成した発光体を内設し、グリップとなる筒体の先端にサーチライトとして使用する小型ライトを内蔵している。
【特許文献１】特開２００２−４８４９３号公報（２頁、図１）
【発明の開示】
【発明が解決しようとする課題】
【０００３】
特許文献１に記載された従来型のライト付き棒体は、その筒体が透明なポリカーボネート樹脂でできているため、停止合図棒や誘導ライトとして使用するには優れているが、暴漢に突然襲われたようなときに身を守る警戒棒として使用するには強度的に不十分で適さない。また、このような自分の身を守らなければならない緊急時に従来型ライト付き棒体のライトスイッチを押してこのライトを意識的に点灯させる余裕はない。また、この従来型のライト付き棒体は停止合図棒や誘導ライトとして使用するために設計されているので、たとえこのＬＥＤライトや小型ライトを点灯させてもこれによって暴漢を威嚇するには不十分である。
【０００４】
本発明の目的は、例えば暴漢等に不意に襲われた時に我が身を守るのに役立つ警戒棒を提供することにある。
【課題を解決するための手段】
【０００５】
上述の課題を解決するために、本発明にかかるフラッシュ警戒棒は、
太さの異なる複数の金属製筒体からなる伸縮自在なテレスコープ型の警棒本体と、
前記複数の筒体の太さが最も細い筒体先端に備わったフラッシュライトと、
前記複数の筒体の太さが最も太い筒体に形成された警棒把持部と、
前記警棒把持部の一部に備わり、前記フラッシュライトで照らされた被写体を撮像する撮像部を有したフラッシュ警戒棒であって、
前記警棒本体は前記警棒把持部を把持したままでの前記フラッシュ警戒棒の一振りにより前記複数の金属製筒体が伸び出し可能となっているとともに、前記複数の金属製筒体の伸び出しと同時に前記フラッシュライトを照射状態とするライトスイッチを備えたことを特徴としている。
【０００６】
警棒本体が太さの異なる複数の金属製筒体からなり伸縮自在となっており、警棒把持部を把持したままでのフラッシュ警戒棒の一振りにより複数の金属製筒体が伸び出し可能となっているので、暴漢などに不意に襲われたときでも、この警棒本体を一振りするだけで複数の金属製筒体を伸び出させて相手を威嚇し、自分の身を守ることができる。また、複数の金属製筒体が伸び出すと同時に太さが最も細い筒体先端に備わったフラッシュライトを照射して相手の目を眩惑させることができ、この間に暴漢から逃げるか自己防衛の反撃を図ることが可能となる。
【０００７】
また、本発明の請求項２に記載のフラッシュ警戒棒は、請求項１に記載のフラッシュ警戒棒において、
前記フラッシュ警戒棒が前記ライト照射用スイッチとは別に前記撮像部による被写体の撮像を可能とする撮像用スイッチを備えたことを特徴としている。
【０００８】
撮像用スイッチを適宜操作することで、フラッシュライトで相手を照らしているときに撮像部を作動させてその者の人相を撮像することができる。また、日常の街中で挙動不審者を発見した場合にその不審者を撮像することで日常の防犯活動に役立てることも可能となる。
【０００９】
また、本発明の請求項３に記載のフラッシュ警戒棒は、請求項１又は請求項２に記載のフラッシュ警戒棒において、
前記フラッシュライトに発光ダイオードが用いられ、前記撮像部にＣＣＤカメラが用いられていることを特徴としている。
【００１０】
フラッシュライトを発光ダイオードで構成することで、相手の目を確実に眩惑する小型のフラッシュライトを筒体の先端に備えることが可能となる。また、撮像部をＣＣＤカメラで構成することで、フラッシュ警戒棒全体の小型化を図ることが可能となる。
【００１１】
また、本発明の請求項４に記載のフラッシュ警戒棒は、請求項１乃至請求項３の何れかに記載のフラッシュ警戒棒において、
前記複数の筒体の太さが最も細い筒体内に前記フラッシュライト照射用のバッテリーを収容したことを特徴としている。
【００１２】
このような部位にバッテリーを収容することで、警棒本体を一振りしたときに先端側である太さが最も細い筒体に十分な遠心力を作用させることができるので、複数の金属製筒体を容易に伸び出させることができる。
【発明の効果】
【００１３】
本発明によると、例えば暴漢等に不意に襲われた時に我が身を守るのに役立つ警戒棒を提供することができる。
【発明を実施するための最良の形態】
【００１４】
以下、本発明の一実施形態にかかるフラッシュ警戒棒を図面に基づいて説明する。本発明の一実施形態にかかるフラッシュ警戒棒１は、図１に示すように、テレスコープ型の複数の筒体からなる警棒本体１０と、警棒本体１０の最も細い筒体の先端に備わった発光ダイオードからなるフラッシュライト（眩惑用ＬＥＤライト）２０と、複数の筒体の最も太さの太い筒体に形成された警棒把持部３０を有している。また、フラッシュ警戒棒１の警棒把持部３０には、フラッシュライト２０で照らされた被写体を撮像するＣＣＤカメラ（撮像部）４０が備わっている。
【００１５】
警棒本体１０は、本実施形態の場合、アルミニウム合金でできた太さの異なる４つの金属製円筒体からなり、いわゆるテレスコープタイプをなして伸縮自在となっている。
【００１６】
なお、護身用具としての公安委員会の規定した条件に適合させるために、警棒本体１０の長さは６０ｃｍ以下、重さは３２０ｇ以下、最も太い部位の径が３ｃｍ以下であることが好ましい。
【００１７】
警棒本体１０の警棒把持部３０を構成する第１の筒体１１は、アルミニウム合金でできた円筒状の筒体をなし、その周面に滑り止め用のローレット加工部３１が形成されるとともに先端側に細長の鍔部３２が備わり、把持者の手を暴漢の攻撃から保護するようになっている。また、鍔部３２には、警棒本体１０の先端側を撮像可能なＣＣＤカメラ４０が備わっている。このＣＣＤカメラ４０は、フラッシュライト２０で暴漢を照らしているときにこれを撮像してその人相を撮像したり、又は日常の街中で挙動不審者がいる場合にその不審者を撮像するのに利用される。
【００１８】
また、筒体周面の鍔部近傍には、ＣＣＤカメラ４０を適時作動させるためのシャッターとしての役目を果たす押しボタン式の撮像用スイッチ４１が備わっている。
【００１９】
また、第１の筒体１１の内部にはＣＣＤカメラ４０を作動させるための例えば単３乾電池などからなるバッテリー１５及びこのバッテリー１５を交換可能に収容するバッテリーボックス１６が備わっている。また、第１の筒体内周面の長手方向略中央部分には、第１の筒体内を摺動する第２の筒体１２の収容方向を規制するストッパーとして縮径段部１１ａが形成されている。また、第１の筒体１１の先端部内周面には、第１の筒体１１から伸び出す第２の筒体１２の伸び出し量を規制するストッパーとして縮径段部１１ｂが形成されている。
【００２０】
第２の筒体１２は第１の筒体内に収容可能であるとともに第１の筒体１１から伸び出すようになっており、第１の筒体１１と同様にアルミニウム合金でできた円筒状の筒体をなしている。そして第２の筒体１２の基端部側には第１の筒体１１からの伸び出し量を規制するストッパーとして拡径段部１２ｃが形成されるとともに、第２の筒体１２の基端部内周面には、第３の筒体１３の収容方向を規制するストッパーとして縮径段部１２ａが形成されている。また、第２の筒体１２の先端部内周面には、第２の筒体１２から伸び出す第３の筒体１３の伸び出し量を規制するストッパーとして縮径段部１２ｂが形成されている。
【００２１】
第３の筒体１３は、第２の筒体内に対して摺動可能に第２の筒体１２から伸び出すようになっており、第２の筒体１２と同様にアルミニウム合金でできた円筒状の筒体をなしている。そして、第３の筒体１３の基端部側外周面には第２の筒体１２の先端部側内周面における縮径段部１２ｂと係合して第２の筒体１２からの伸び出し量を規制する拡径段部１３ｃが形成されるとともに、第３の筒体１３の基端部側外周面には第４の筒体１４の収容方向を規制するストッパーとして縮径段部１３ａが形成されている。また、第３の筒体１３の先端部側内周面には、第４の筒体１４の伸び出し量を規制するストッパーとして縮径段部１３ｂが形成されている。また、第３の筒体１３の基端部側には、第３の筒体１３が第２の筒体１２から伸び出したときに第３の筒体１３を第２の筒体１２から伸び出したままとする戻り防止用凸部１３ｓが形成されている。なお、この戻り防止用凸部１３ｓは、ここでは図示しない弾性体により第３の筒体内周方向に指で押してへこむようになっており、この戻り防止用凸部１３ｓを押した状態で第２の筒体内に第３の筒体１３を収容するようになっている。
【００２２】
第４の筒体１４は、第３の筒体内周面を摺動可能に第３の筒体１３から伸び出すようになっており、第３の筒体１３と同様にアルミニウム合金でできた円筒状の筒体からなる。そして、第４の筒体１４の基端部側外周面には、第３の筒体１３の先端部側内周面に備わった縮径段部１３ｂに係合する拡径段部１４ｃが形成されるとともに、第４の筒体１４の先端部には円柱状のゴム体５０を介してフラッシュライト２０が貫通状態で取り付けられている。なお、ゴム体５０の基端側内周部には雌ネジ部が形成され、第４の筒体１４の先端側外周面に形成された雄ネジ部と螺合している。これによって、フラッシュライト２０や後述するバッテリー２５の交換の際にゴム体５０を第４の筒体１４から取り外し可能としている。
【００２３】
また、第４の筒体１４にはフラッシュライト２０を照射させるための例えば単４乾電池などからなるバッテリー２５が交換可能に収容されており、バッテリー２５の一方の電極はフラッシュライト２０の一方の電極と常時導通接続し、他方の電極は後述する戻り防止用凸部１４ｓの動作に応じてフラッシュライト照射用スイッチ２１の接点２１ａを介してフラッシュライト２０の他方の電極と選択的に導通接続するようになっている。
【００２４】
なお、フラッシュライト２０には、白色または青色の発光ダイオード（ＬＥＤ）が用いられ、照度が大きく照射方向の指向性が高くなっており、白色又は青色の照射光を照射するようになっている。
【００２５】
また、第４の筒体１４の基端部側には、第４の筒体１４と同様の指で押してへこむことのできる戻り防止用凸部１４ｓが形成されている。また、第４の筒体内周面には戻り防止用凸部１４ｓの突出に対応してオン状態になるフラッシュライト照射用スイッチ２１が備わっており、第４の筒体１４が第３の筒体１３から完全に伸び出して戻り防止用凸部１４ｓが図１に示す状態になると、フラッシュライト照射用スイッチ２１の接点２１ａが第４の筒体内に収容されたバッテリー２５と電気的に接触し、第４の筒体内のバッテリー２５から図示しない電線を介してフラッシュライト２０を照射するようになっている。なお、第４の筒体先端部に備わったフラッシュライト２０は例えばこれが暴漢の目の前で照らされたときに暴漢の目を眩惑させるのに十分な照度と照射方向の指向性を有するようになっている。また、第４の筒体１４の戻り防止用凸部１４ｓは第３の筒体１３の戻り防止用凸部１３ｓと同様に第４の筒体１４を第３の筒体内に収容する際にこの戻り防止用凸部１４ｓを指で凹ませながら収容するようになっている。
【００２６】
図３は、フラッシュ警戒棒１の回路図を示したものであり、第１の筒体１１である警棒把持部内に収容されたバッテリー２５から図１及び図２では図示ない電線を介して図１及び図２で図示するフラッシュライト照射用スイッチ２１の作動に応じて第４の筒体先端部のフラッシュライト２０を照射するようになっている。なお、フラッシュライト照射用スイッチ２１は、上述したように第４の筒体１４の戻り防止用凸部１４ｓのへこみと連動するようになっており、第４の筒体１４が第３の筒体内から伸び出して戻り防止用凸部１４ｓが図１の状態になったときに戻り用防止用凸部１４ｓが再びへこまされるまでフラッシュライト２０を照射状態におくようになっている。
【００２７】
また、バッテリー１５からはこのフラッシュライトライト２０に関する配線と独立して図１及び図２では図示しない電線及び図１及び図２に示す撮像用スイッチ４１の操作に応じてＣＣＤカメラ４０が被写体を撮像するようになっている。すなわち、撮像用スイッチ４１によりフラッシュライト照射用スイッチ２１と非連動で警戒棒使用者がＣＣＤカメラ４０で被写体の撮像を行うことができるようになっている。
【００２８】
続いて、上述のように構成されたフラッシュ警戒棒１の使用方法について以下に説明する。図２は、フラッシュ警戒棒１の通常の携帯状態を示したもので、警棒把持部３０を構成する第１の筒体内に第２の筒体１２乃至第４の筒体１４が長手方向ほぼ全体的に収容されて全長が短くなり、携帯可能となっている。なお、警棒把持部３０の内部には例えば単３乾電池などの小型のバッテリー１５を交換可能に収容できるようになっており、常に新しい電池に入れ替え可能となっている。
【００２９】
次いで、警戒棒所持者が暴漢に襲われそうになるなど、危険な状況に直面したとき警戒棒所持者が図示しない携帯バンドから図２に示す状態のフラッシュ警戒棒１を取り出して警棒把持部３０を握り、このフラッシュ警戒棒１を例えば暴漢の顔面に向かって一振りする。この動作によって、第２の筒体１２乃至第４の筒体１４に遠心力が作用して第２の筒体１２乃至第４の筒体１４が暴漢の顔面にめがけて急に伸び出す。そして、各筒体間に備わったストッパー同士が係合することでフラッシュ警戒棒１が図１に示すような最も長い状態になるまで伸び出すと、第４の筒体１４に備わった戻り防止用凸部１４ｓが第３の筒体１３から伸び出すのと連動してフラッシュライト照射用スイッチ２１を作動させ、これによって第４の筒体１４の先端部に備わったフラッシュライト２０が暴漢の顔面に向かって強烈な照射光を照射する。これによって、暴漢は一瞬目が眩惑され、この間に警戒棒所持者は安全な場所に逃げて身を守ることができる。
【００３０】
なお、フラッシュライト照射用のバッテリー２５を複数の筒体の先端側である太さが最も細い筒体１４に収容しているので、警棒本体１０を一振りしたときにこの太さが最も細い筒体１４に十分な遠心力を作用させることができ、結果的に複数の筒体１１〜１４を容易に伸び出させることが可能となる。
【００３１】
また、フラッシュ警戒棒１は上述したようにその各筒体１１〜１４がアルミニウム合金でできており、十分な強度を有するので、従来のプラスチック樹脂でできた脆弱なライト付き案内用棒体とは異なり、暴漢が襲い掛かってきたときでもこのフラッシュ警戒棒１で応戦して自己防衛を図ることができる。なお、このフラッシュ警戒棒１の警棒把持部３０には把持する手を保護する鍔部３２が形成されているので、暴漢が刃物などの凶器を振り回してきたときでもこの急迫不正な攻撃に対してフラッシュ警戒棒１を握る警戒棒所持者の手を確実に守ることができる。
【００３２】
また、このフラッシュ警戒棒１の鍔部３２にはＣＣＤカメラ４０が備わっており、警棒把持部３０に設けられた撮像用スイッチ４１の押圧に応じてＣＣＤカメラ４０がフラッシュライト２０で照射された相手の顔を撮像可能となっているので、このような危険時にフラッシュ警戒棒１を完全に伸ばしてフラッシュライト２０を照射させて相手の顔を照らした状態で撮像用スイッチ４１を押圧することで、ＣＣＤカメラ４０に相手の人相を撮像することができる。
【００３３】
これによって、その後の犯人逮捕などの犯罪捜査に協力することが可能となる。なお、この撮像用スイッチ４１は、警戒棒所持者が適時押圧することでＣＣＤカメラ４０を用いて撮像することができるので、このような緊急時だけでなく日常において不審人物が目撃された場合などにおいてもＣＣＤカメラ４０を用いて不審者を撮像することによって日ごろの防犯活動に役立てることが可能となる。これによって、近年問題となっている小児や児童の誘拐を未然に防止することも可能となる。また、このＣＣＤカメラ４０を用いて、不審人物だけでなく例えば建造物関係の破壊された場所などを撮影して街中の安全管理に役立てることも可能である。
【００３４】
なお、以上説明したフラッシュ警戒棒１の筒体１１〜１４の材質はアルミニウム合金に限らずステンレス合金や鉄、ガラスファイバー強化型プラスチックなどの十分な強度を有する材質でできていても良い。しかしながら、アルミニウム合金でできていると護身具としての十分な強度を有しながら全体の軽量化が図れるというメリットがある。
【００３５】
また、テレスコープ型をなす筒体の段数は、本実施形態では４段であったが、必ずしもこの段数に限定されるものではない。また、各筒体は円筒状をなしていたが、例えば断面四角形の筒体や断面多角形の筒体であってもかまわない。
【００３６】
また、警戒棒使用者の把持する手を保護する鍔部は、上述のような形状に限らず、折り畳むことができるようになって携帯性を高めるようにしておいても良い。
【００３７】
また、各筒体のストッパーの形状は本実施形態のような拡径段部や縮径段部に限定されるものではない。
【００３８】
また、フラッシュ警戒棒の先端部に設けられる幻惑ライトは、相手の目を眩惑する十分な照度と照射方向の指向性を有するライトであればＬＥＤ素子には限らず例えばレーザー光などのようなものでもかまわない。また、撮像部は被写体を適時撮像可能であれば必ずしもＣＣＤカメラには限定されず、どのようなものでも構わない。
【００３９】
しかしながら、フラッシュライトとしてＬＥＤ素子を用いるとともに撮像部としてＣＣＤカメラを用いることで、フラッシュライトと撮像部の構成要素を小型化することができるとともに消費電力を小さく抑えることができるので、フラッシュ警戒棒全体の小型化及び軽量化を図ることが可能となる。
【図面の簡単な説明】
【００４０】
【図１】本発明にかかるフラッシュ警戒棒の一実施形態を警戒棒が完全に伸び切った状態で長手方向に沿って示した断面図である。
【図２】図１に示したフラッシュ警戒棒の最も縮んだ状態を長手方向に沿って示した断面図である。
【図３】図１に示したフラッシュ警戒棒の回路図である。
【符号の説明】
【００４１】
１  フラッシュ警戒棒
１０    警棒本体
１１    第１の筒体
１１ａ，１１ｂ    縮径段部
１２    第２の筒体
１２ａ，１２ｂ    縮径段部
１２ｃ    拡径段部
１３    第３の筒体
１３ａ，１３ｂ    縮径段部
１３ｃ    拡径段部
１３ｓ    戻り防止用凸部
１４    第４の筒体
１４ａ    縮径段部
１４ｃ    拡径段部
１４ｓ    戻り防止用凸部
１５    バッテリー
１６    バッテリーボックス
２０    フラッシュライト（眩惑用ＬＥＤライト）
２１    フラッシュライト照射用スイッチ
２１ａ    接点
２５    バッテリー
３０    警棒把持部
３１    ローレット加工部
３２    鍔部
４０    ＣＣＤカメラ（撮像部）
４１    撮像用スイッチ
５０    ゴム体
【図１】
2006153343.tif 000003
【図２】
2006153343.tif 000004
【図３】
2006153343.tif 000005